(57)【要約】【課題】便座で暖められた空気を便蓋の中に滞留させることによって保温電力を節約する暖房便座を提供する。【解決手段】便座２の非使用時に便座２に被せる便蓋１は、便座２の外周と上部とを便座の加熱部分９より下まで囲って覆うことにより、便座表面で加熱された空気は便蓋１の外に漏れ出すことなく便蓋１の中で滞留するようになる。従って、保温電力を節約することができる。【選択図】  図２
2004313301.tif 000002
【特許請求の範囲】
【請求項１】
表面の温度を上昇させる加熱部分を持つ便座と、便座の非使用時に便座に被せる便蓋を備え、前記便蓋は便座の非使用時に便座外周と上部を覆い、便座の加熱部分より下まで囲った暖房便座。
【請求項２】
便座と便蓋の少なくとも一方に溝を設け、他方には便座の非使用時に前記溝に入り込む壁を設けた請求項１に記載の暖房便座。
【請求項３】
便蓋は便座内周も覆い、便座の加熱部分より下まで囲った請求項１に記載の暖房便座。
【請求項４】
便座内周の覆いは、便蓋から下に壁を立てて形成した請求項３に記載の暖房便座。
【請求項５】
便座内周の覆いは、便蓋の中央部を凹形状に窪ませて形成した請求項３に記載の暖房便座。
【請求項６】
便蓋はその後端部に、便蓋を回動支持した便座本体の後方部を覆う覆蓋部を設けた請求項１〜５のいずれか１項に記載の暖房便座。
【発明の詳細な説明】
【０００１】
【発明の属する技術分野】
本発明は、トイレ装置における暖房便座に関するものである。
【０００２】
【従来の技術】
従来、加熱部分を持つ便座と、便座の非使用時に便座に被せる便蓋を備えた暖房便座はよく知られている（例えば、特許文献１参照）。
【０００３】
これは、図７に示すように、便蓋１は便座２の上を覆っており、便座本体３との間に隙間４があった。従って、便座２の非使用時、便蓋１で覆っていても加熱部分で暖められている便座２表面の空気は矢印のように上昇し、隙間４より流出し、代わりに便器５と便座２の隙間から冷たい空気が侵入していた。それを防ぐため図８に示すように、便蓋１に遮断部材６を立設させて保温空間７を形成している。
【０００４】
【特許文献１】
特開２０００−１５２８９６号公報
【０００５】
【発明が解決しようとする課題】
しかしながら、前記従来の構成では、遮断部材６の下端が便座２の表面部分より上方にあり、実際には保温空間７の空気も後から便座２で暖められて上昇してきた空気によって矢印のように追い出され、やはり便座本体３と便蓋１の隙間４より逃げ出すので、便座２の保温効果はごく限られたものであった。
【０００６】
本発明は、前記従来の課題を解決するもので、便座によって暖められて上昇した空気を便蓋の中に滞留させることによって保温電力を節約する暖房便座を提供することを目的とする。
【０００７】
【課題を解決するための手段】
前記課題を解決するために、本発明の暖房便座は、便座の非使用時に便蓋により、便座外周と上部を覆い、便座の加熱部分より下まで囲ったものである。
【０００８】
これにより、便座表面で加熱された空気は便蓋の外に漏れ出すことなく便蓋の中で滞留するようになり、保温電力を節約することができる。
【０００９】
【発明の実施の形態】
請求項１に記載の発明は、表面の温度を上昇させる加熱部分を持つ便座と、便座の非使用時に便座に被せる便蓋を備え、前記便蓋は便座の非使用時に便座外周と上部を覆い、便座の加熱部分より下まで囲った暖房便座とすることにより、便座表面で加熱された空気は便蓋の外に漏れ出すことなく便蓋の中で滞留するようになり、保温電力を節約することができる。
【００１０】
請求項２に記載の発明は、便座と便蓋の少なくとも一方に溝を設け、他方には便座の非使用時に前記溝に入り込む壁を設けた請求項１に記載の暖房便座とすることにより、便座表面で加熱された空気は便蓋の外に漏れ出すことなく、より確実に便蓋の中で滞留するようになる。
【００１１】
請求項３に記載の発明は、便蓋は便座内周も覆い、便座の加熱部分より下まで囲った請求項１に記載の暖房便座とすることにより、便座で暖められた空気が便蓋の中央部に移動して冷めないようにすることができるものである。
【００１２】
請求項４に記載の発明は、便座内周の覆いは、便蓋から下に壁を立てて形成した請求項３に記載の暖房便座とすることにより、便蓋の表面を埃の溜まりにくい平らなデザインにしたまま便蓋内部の空気の対流を防ぐことができるものである。
【００１３】
請求項５に記載の発明は、便座内周の覆いは、便蓋の中央部を凹形状に窪ませて形成した請求項３に記載の暖房便座とすることにより、便蓋の肉厚を一定にした成型性のよい便蓋で便蓋内部の空気の対流を防ぐことができるものである。
【００１４】
請求項６に記載の発明は、便蓋はその後端部に、便蓋を回動支持した便座本体の後方部を覆う覆蓋部を設けた請求項１〜５のいずれか１項に記載の暖房便座とすることにより、便蓋と便座本体との間の隙間をなくし、便座表面で加熱された空気の漏れ出しをなくすことができる。
【００１５】
【実施例】
以下、本発明の実施例について、図面を参照して説明する。
【００１６】
（実施例１）
図１、図２は本発明の実施例１における暖房便座を示すものである。
【００１７】
図に示すように、本実施例における暖房便座は、表面の温度を上昇させる加熱部分９を持つ便座２と、便座２の非使用時に便座２に被せる便蓋１を備え、前記便蓋１は、便座２の非使用時に便座外周と上部を覆い、便座２の加熱部分９より下まで囲ったものである。前記加熱部分９は便座２の着座部分でもある。便蓋１は、便座本体３に対して回転軸１０部分で開閉自在に軸支されている。なお、便座２の形状としては、図に示すＯ型形状のものであっても、また、Ｕ型形状のものであってもよく、その形状にこだわるものではない。
【００１８】
便蓋１による、便座２の非使用時に便座外周と上部を覆い、便座２の加熱部分９より下まで囲うための具体構成としては、回転軸１０と加熱部分９の間の便座２部分を横切って溝１１を設け、便蓋１には前記溝１１に入り込む壁８を裏面から下側に向けて形成している。そして、便蓋１の外周部１ａは、便座２の加熱部分９より下まで延びているものである。なお、便座２と便蓋１の少なくとも一方に溝１１を設け、他方には壁８を設ければよいものであり、実施例の構成に限られるものではない。
【００１９】
上記構成により、加熱部分９によって加熱された空気１２は上昇し便蓋１の天井に当たる。そのうち冷めて下降するが加熱部分９で再び加熱されて上昇する。このように便蓋１の外周部１ａおよび壁８で囲われた範囲の中だけで対流する。よって、暖められた空気が便座本体３と便蓋１との隙間４から外に出て、代わりに便座２の下から冷たい空気が入ってくることが無くなり、保温電力を節約することができる。なお、壁８に頼ることなく便蓋１の外周部１ａの単独構成でも、便座表面で加熱された空気の便蓋１の中で滞留効果は期待できる。
【００２０】
（実施例２）
図３は本発明の実施例２における暖房便座を示したものである。  実施例１との相違は、便蓋１の内側に下向きに壁１３を立てて便座２の内周も囲っていることである。その壁１３の深さは便座２の加熱部分９よりも下まで延びている。
【００２１】
便蓋１の表はトイレ内の冷たい空気に接触しているため、便座２によって暖められた空気が便蓋１の中央部に移動すると熱交換面積が増えて冷めやすくなる。しかし、このように便座２の内側にも壁１３を設けることにより、便座２によって暖められた空気は斜線１４のところだけに溜まる。
【００２２】
よって、本実施例においては、便座中央部で便座２によって暖められた空気が冷めることが無くなり、さらに保温電力を節約することができる。
【００２３】
（実施例３）
図４は本発明の実施例３における暖房便座を示したものである。実施例２との相違は、便蓋１の中央部を凹形状１６に窪ませて便座２の内周も囲っていることである。その凹形状１６の深さは便座２の加熱部分９よりも下まで延びている。
【００２４】
本実施例においては、樹脂の肉厚を一定にした成型性のよい便蓋１５でありながら、便座２の加熱部分９によって暖められた便蓋内部の空気１７の便蓋中央部への対流を防ぐことができ、保温電力を節約することができる。
【００２５】
（実施例４）
図５、図６は本発明の実施例４における暖房便座を示したものである。
【００２６】
実施例１〜３との相違は、便蓋２３はその後端部に、便蓋２３を回動支持した便座本体１８の後方部を覆う覆蓋部２３ａを設けたことである。その覆蓋部２３ａ端部は便座２１の加熱部分２２よりも下まで延びている。また、便蓋２３は、回転軸２５を中心に回動するが、覆蓋部２３ａは便座本体１８の後方部に沿って移動し、開蓋時には、便座本体１８の後方のくびれ部１９に入り込むものである。
【００２７】
本実施例においては、便蓋２３と便座本体１８との間の隙間をなくし、便座表面で加熱された空気の漏れ出しをなくすことができる。従って、便座２１によって暖められた空気は、斜線２４のところだけに溜まるようになり、保温電力を節約することができる。
【００２８】
【発明の効果】
以上のように、本発明の暖房便座によれば、便座の非使用時に便蓋により、便座外周と上部を覆い、便座の加熱部分より下まで囲ったものであり、便座表面で加熱された空気は便蓋の外に漏れ出すことなく便蓋の中で滞留するようになり、保温電力を節約することができる。
【図面の簡単な説明】
【図１】本発明の実施例１における暖房便座の開蓋状態を示す斜視図
【図２】同暖房便座の側断面図
【図３】本発明の実施例２における暖房便座の断面図
【図４】本発明の実施例３における暖房便座の断面図
【図５】本発明の実施例４における暖房便座の側断面図
【図６】同暖房便座の開蓋状態を示す側断面図
【図７】従来の暖房便座の側断面図
【図８】従来の他の暖房便座を示す側断面図
【符号の説明】
１、２３  便蓋
２、２１  便座
３、１８  便座本体
４  隙間
８  壁
９、２２  加熱部分
１１  溝
１２  加熱された空気
１９  くびれ部
２３ａ  覆蓋部
【図１】
2004313301.tif 000003
【図２】
2004313301.tif 000004
【図３】
2004313301.tif 000005
【図４】
2004313301.tif 000006
【図５】
2004313301.tif 000007
【図６】
2004313301.tif 000008
【図７】
2004313301.tif 000009
【図８】
2004313301.tif 000010